(57)【特許請求の範囲】
【請求項１】
基台（２）上の一端に、手前に傾倒可能な取っ手（５）を備えた一対の操作台（３、３）を間隔をあけて形成し、前記取っ手（５）を手前に倒すことによりパイプロット刃（９）を上方から押し下げて基台（２）上の書類用紙に孔を明ける孔明け装置において、
前記パイプロット刃（９）上方の一対の操作台（３、３）のそれぞれ内側の側面にパンチ屑を排出する開口部（３ｃ）を形成し、各開口部（３ｃ、３ｃ）に連絡する一対の連絡口（１９ｂ、１９ｂ）を備えたごみ容器（１１）を基台（２）上の一対の操作台（３、３）の間に載置したことを特徴とする孔明け装置。
【請求項２】
基台（２）上の一端に形成する一対の操作台（３、３）を、取っ手（５）に有するアーム（５ａ）毎に立設し、該アーム（５ａ）を前記一対の操作台（３、３）に左右方向に配した回動軸（４）により回動自在に設けると共に、筒状のパイプロット刃（９）を装着するロットホルダー（１４）を前記取っ手（５）と連繋させ、該ロットホルダー（１４）の側面に前記パイプロット刃（９）と連通する孔（１４ａ、１４ｄ）を開口させ、該孔（１４ａ、１４ｄ）を、前記一対の操作台（３、３）のそれぞれ内側の側壁に形成した開口部（３ｃ）と整合させ、各開口部（３ｃ、３ｃ）に連絡する一対の連絡口（１９ｂ、１９ｂ）を備えたごみ容器（１１）を基台（２）上の一対の操作台（３、３）の間に載置して、前記パイプロット刃（９）内を通過するパンチ屑を、前記ごみ容器（１１）に前記開口部（３ｃ、３ｃ）より排出するようにしたことを特徴とする孔明け装置。
【発明の詳細な説明】
【０００１】
【発明の属する技術分野】
書類用紙は総じてファイリングすることで見易くなる。そこで、紙面に孔を明けて紐、金具等で綴じるようにすることが知られている。本発明は、書類用紙に孔を明けるための孔明け装置に関するものである。
【０００２】
【従来の技術】
書類用紙に孔を形成させる装置には、中空で円形の刃が形成されているパイプロット刃と、書類用紙を設置する所定の台とを備えた孔明け装置がある。パイプロット刃を書類用紙の上方または下方に配し、紙面をパイプロット刃で押圧して円形状に切り抜くようになっている。書類用紙の円形パンチ屑はパイプロット刃の内孔を通って排出させ、付属のごみ入れに回収するようにしている。
【０００３】
図１４に示す従来の孔明け装置１は、基台２の一方側上部に操作台３が連設され、他方側には書類用紙を載せるようになっている。操作台３上部には回動軸４に軸支された取っ手５が設けられ、取っ手５はばね付勢によって略垂直状態に保持され、前方に傾倒可能にされている。
また、図１４及び図１５に示すように、操作台３には載置した書類用紙上方にせり出す突出部３ａを形成し、孔明け装置１に書類用紙を載置するときは、突出部３ａ奥側のストッパ６に書類用紙端部を当てがい、さらに、ゲージ７によって幅方向の位置を決定する。
【０００４】
操作台突出部３ａの天井部３ｂには、書類用紙を押圧するプレート８と、プレート８に形成した一対の孔からそれぞれ下方に臨む中空のパイプロット刃９とが配設される。このパイプロット刃９の位置に対応して下方の基台２に一対の凹部２ａを設け、そこに合成樹脂製の円板状ロットガード１０を設置するようになっている。また、操作台３の内部にごみ容器１１を収納している。
【０００５】
図１５に示すように、取っ手５と連結する回動軸４にはギヤ１２が装着され、ギヤ１２と噛み合うラック１３が上下動可能に設けられている。ラック１３の下端には、パイプロット刃９を装着する筒状ロットホルダー１４が連結される。また、ロットホルダー１４の内孔に挿入されたパイプロット刃９は、ロットホルダー１４の側面からねじ込んだねじ１５によって固定されている。また、ロットホルダー１４の上端は後方に開口する排出ガイド１６と連絡され、さらに、滑り板１７を介して操作台３内のごみ容器１１と連絡されている。
【０００６】
この孔明け装置１を使用するとき、書類用紙をストッパ６及び、横方向位置を決定したゲージ７に合わせて基台２に載せ、次に、取っ手５を手前に回動させる。これにより、プレート８及び一対のパイプロット刃９が下降し、プレート８が書類用紙に圧接する。さらに取っ手５を押し下げるとパイプロット刃９が書類用紙を貫通する。
このとき、書類用紙のパンチ屑はパイプロット刃９の内部に停滞する。多数の書類用紙に孔を明けるとパンチ屑も増え、内部に溜ったパンチ屑が徐々に押し上げられて中空のパイプロット刃９の上端から排出され、排出ガイド１６及び滑り板１７を通ってごみ容器１１に回収されることになる。
【０００７】
【発明が解決しようとする課題】
ところで、この装置では取っ手５を回動させる力に対抗して、孔明け装置１全体も重量を大きくして重心を安定するようにしている。また、操作台３の中にごみ容器１１が収納されているので、ごみ容器１１の取り出しは回動軸４、ラック１３を避けて装置後方からとなる。このため、実際にごみを取り出す時は、重量のある孔明け装置１を、ごみ容器１１が取り出し易いように向きを変えるか、手前の広いスペースに引き出すかしなければならず、面倒であった。また、操作台３の中にごみ容器１１を収納するので容積も小さくなり、ごみを捨てる頻度も多くなるという問題も出てくる。また、ごみの集積状況も前方からは見えず、捨てる時期が煩雑になる。
【０００８】
本発明は、書類用紙のパンチ屑を回収するごみ容器の容量を大きくし、装置本体を動かさなくても簡単に取り出せるようにした孔明け装置を提供することを目的とする。
【０００９】
【課題を解決するための手段】
上記目的を達成するために、請求項１の発明は、基台（２）上の一端に、手前に傾倒可能な取っ手（５）を備えた一対の操作台（３、３）を間隔をあけて形成し、前記取っ手（５）を手前に倒すことによりパイプロット刃（９）を上方から押し下げて基台（２）上の書類用紙に孔を明ける孔明け装置において、
前記パイプロット刃（９）上方の一対の操作台（３、３）のそれぞれ内側の側面にパンチ屑を排出する開口部（３ｃ）を形成し、各開口部（３ｃ、３ｃ）に連絡する一対の連絡口（１９ｂ、１９ｂ）を備えたごみ容器（１１）を基台（２）上の一対の操作台（３、３）の間に載置したことを特徴とする。
【００１０】
また、上記目的を達成するために、請求項２の発明は、基台（２）上の一端に形成する一対の操作台（３、３）を、取っ手（５）に有するアーム（５ａ）毎に立設し、該アーム（５ａ）を前記一対の操作台（３、３）に左右方向に配した回動軸（４）により回動自在に設けると共に、筒状のパイプロット刃（９）を装着するロットホルダー（１４）を前記取っ手（５）と連繋させ、該ロットホルダー（１４）の側面に前記パイプロット刃（９）と連通する孔（１４ａ、１４ｄ）を開口させ、該孔（１４ａ、１４ｄ）を、前記一対の操作台（３、３）のそれぞれ内側の側壁に形成した開口部（３ｃ）と整合させ、各開口部（３ｃ、３ｃ）に連絡する一対の連絡口（１９ｂ、１９ｂ）を備えたごみ容器（１１）を基台（２）上の一対の操作台（３、３）の間に載置して、前記パイプロット刃（９）内を通過するパンチ屑を、前記ごみ容器（１１）に前記開口部（３ｃ、３ｃ）より排出するようにしたことを特徴とする。
【００１１】
【発明の実施の形態】
以下、本発明の実施の形態を添付図面に基づいて説明する。図７ないし図１１に示す孔明け装置１は、上面が平坦な略長方形の基台２の一方側上部に、取っ手５の一対のアーム５ａ数に対応して独立に間隔をあけて操作台３が形成され、操作台３に左右方向に配した回動軸４（図５参照）により、取っ手５が上方から手前に弧状に移動するように回動自在に設けられている。また、操作台３内部においてアーム５ａをばね付勢して、通常、取っ手５を略垂直状態に置いている。
また、基台２の書類用紙を載置する箇所の左右側にはゲージ７が設置され、書類用紙の縁部を揃えることで孔明けの位置決めを容易にさせている。
【００１２】
操作台３にはパイプロット刃９を装着するロットホルダー１４が設けられ、パイプロット刃９は操作台３の天井部３ｂから下方の基台２上面に臨むように取付けられる。そして、パイプロット刃９の下方の基台２上面にはロットガード１０用の凹部２ａが設けられ、この凹部壁面の略半円部に基台上面と凹部底面を連絡するテーパ２ｂが形成されている。
また、一組の操作台３の間にはごみ容器１１が配設され、互いの操作台３の向き合った面にはごみ容器１１内に連絡するように開口部３ｃ（図４参照）が形成されている。ごみ容器１１は透明樹脂等で製作して操作側（前方）から内部が見えるようにされ、上方、または前方に簡単に引き出せる形状にされている。
【００１３】
次に、ごみ容器１１について説明する。
図１ないし図３に示すように、ごみ容器１１は四角い上方開口の容器１８とその蓋１９とからなり、容器１８には蓋１９と重なり合う周縁内側に係止溝１８ａが形成され、後方に下る傾斜面となっており、後部底面にパンチ屑が溜り易くされている。また、後部底面には位置決め用の凹部１８ｂが形成され、基台上の凸部（図示略）と係合するようになっている。
蓋１９には容器１８と重なり合う周縁やや内側に下方に向けて凸部１９ａが形成され、蓋１９の前部天井の両側は窓となっていて、この部分を覆い、かつ、側方に拡張された耳部（連絡口）１９ｂが形成され、容器１８内と連通するようになっている。また、蓋１９の後部上面両側には溝部１９ｃが形成され、操作台３側壁の線状突起２０（図４参照）と遊嵌されるようになっている。
【００１４】
次に、操作台３周辺について説明する。
図４ないし図６に示すように、操作台３を構成する側壁には突出部３ａ上方に長方形の開口部３ｃが開けられ、上部に回動軸４を支持する孔３ｄが形成され、後部にごみ容器１１を保持する線状突起２０を形成させている。なお、操作台３は２枚の側壁を使用するが、装置外側の開口部３ｃは装飾板２１（図７参照）により閉じられている。
操作台３はロットホルダー１４を上下動自在に保持し、取っ手５とロットホルダー１４はリンク２２で連結されている。取っ手５の下限位置（略水平状態）において、リンク２２の上支点は、水平方向においてロットホルダー１４の中心線上より回動軸４側にある。
【００１５】
次に、ロットホルダー１４及びパイプロット刃９について説明する。
図１２及び図１３に示すように、ロットホルダー１４は角柱形状で下部にパイプロット刃９を取付ける円形の孔１４ａが開いている。
ロットホルダー１４の上部には左右の厚みを削った部位にリンク２２と結合される連結用孔１４ｂが形成され、その下方に直角に交差してパイプロット刃９を固定するねじ孔１４ｃが形成されている。そして、ロットホルダー１４の中間部側面に内部から上下方向に拡がる扇状の開口部１４ｄを形成し、下部に開口された円形の孔１４ａと連通されている。
また、図１３（ａ）及び（ｂ）に示すように、ロットホルダー１４の角部に縦溝１４ｅが形成され、操作台３に備えたコ字状枠（樹脂製摺動ガイド）（図示略）によって上下動自在に設置される。
【００１６】
パイプロット刃９は図１２（ａ）に示すように取付部の径が大きくされ、図１２（ａ）及び図１３（ａ）に示すように、先割れのＬ型金具２３で保持され、取付ねじ２４でロットホルダー１４に固定される。また、図１２（ｂ）に示すようにパイプロット刃９の刃部先端はエッジが形成され、一旦内径が狭くなるが、これより上方は拡径されて書類用紙のパンチ屑が楽に通るようになっている。
【００１７】
本発明の孔明け装置１は、上記のように構成するものであり、書類用紙に孔を明けるときには、書類用紙を基台２上面に載せてパイプロット刃９の下方に挿入し、かつ、ゲージ７に合わせることによって抜き孔の位置を決める。
そして、取っ手５を回動させるとプレート８及びパイプロット刃９が降下し、書類用紙を押えると共に書類用紙を貫通する。そしてパイプロット刃９が基台上に設置したロットガード１０を圧接し、僅かにくい込んだ位置で停止する。これによって書類用紙のパンチ屑はパイプロット刃９の内部に押し込められ、書類用紙には孔が明けられる。
パンチ屑は孔明け操作によって連続してパイプロット刃９の内部に押し込められ、上方に移動してロットホルダー１４の開口部１４ｄから外部に放出され、操作台３の開口部３ｃから排出されたパンチ屑は、側方に配置したごみ容器１１の耳部１９ｂに受けられ、容器１８の傾斜面にそって落下し、ごみ容器１１に回収される。
【００１８】
このように、パイプロット刃９を簡単なリンク機構で上下動可能としたので、アーム１つに対して操作台３を薄幅に構成することができ、一対のアームに対して一組の操作台間にごみ容器１１を設置することができる。
したがって、操作台３側面からパンチ屑を排出し、側方に配したごみ容器１１に回収することができる。ごみ容器１１内部はパンチ屑の溜り具合がわかり、中身を捨てるときには装置本体は動かさず、ごみ容器１１のみを上方または前方に取り出すことができる。また、ごみ容器１１は基台２上に載置するので、従来の基台２の下に内蔵するよりも形状の制約に自由が効き容量を大きくすることができる。
また、ロットガード１０の交換時には基台２の凹部２ａに形成したテーパ２ｂによって着脱し易くなっている。
なお、パイプロット刃９及びこれと連動するアーム５ａの数を操作台３と共に増加して３孔あるいはそれ以上の孔を明ける構成としても良く、ごみ容器１１はそれぞれ操作台３の側方に配置するようになる。
【００１９】
【発明の効果】
本発明の孔明け装置において、請求項１の発明では、書類用紙に孔を明けたときのパンチ屑が、取っ手を軸支する操作台の側面開口部から排出されて、基台上で、かつ操作台の側方に配設されたごみ容器に回収されるので溜る量が簡単にわかり、孔明け装置本体を動かさずに手前からごみ容器を着脱することができ、使い勝手が良くなる。また、一対の操作台の間にごみ容器を設けたので、操作台の側面でごみ容器を保持することができ、操作台の開口部とごみ容器の連絡口とは、ごみ容器を載置するだけで連絡され、ごみ容器の連絡口により操作台側面より排出されたパンチ屑を確実に回収することができる。
請求項２の発明では、書類用紙に孔を明けるときに操作する取っ手のアーム毎に、アームを軸支する操作台を間隔をあけて基台上に設置したので、この間にごみ容器を設けることができる。また、パンチ屑をパイプロット刃内を通過させ、さらにロットホルダーの側壁開口部へ移動させて操作台の側面開口部から排出させるので、基台上で、かつ操作台の側方にごみ容器を設けてパンチ屑を回収することができる。また、ごみ容器の形状の制約が緩和され、容量を大きくすることが可能である。さらに、一対の操作台の間にごみ容器を設けたので、操作台の側面でごみ容器を保持することができ、操作台の開口部とごみ容器の連絡口とは、ごみ容器を載置するだけで連絡され、ごみ容器の連絡口により操作台側面より排出されたパンチ屑を確実に回収することができる。
【図面の簡単な説明】
【図１】  本発明による実施の形態の孔明け装置のごみ容器の斜視図である。
【図２】  図１に示すごみ容器の蓋側の要部断面図である。
【図３】  図１に示すごみ容器の容器側の断面図である。
【図４】  本発明による実施の形態の孔明け装置の操作台の側面図である。
【図５】  図４に示す操作台の内部断面図である。
【図６】  図４に示す操作台の前面図である。
【図７】  本発明による実施の形態の孔明け装置の斜視図である。
【図８】  図７に示す孔明け装置の側面図である。
【図９】  図７に示す孔明け装置の上面図である。
【図１０】  図７に示す孔明け装置の前面図である。
【図１１】  図７に示す孔明け装置の後面図である。
【図１２】  図７に示す孔明け装置に組み込まれるロットホルダーを（ａ）側面と、（ｂ）前面断面で示す構成図である。
【図１３】  図７に示す孔明け装置に組み込まれるロットホルダーを（ａ）上面と、（ｂ）下面で示す構成図である。
【図１４】  従来の孔明け装置の斜視図である。
【図１５】  図１４の孔明け装置の要部断面図である。
【符号の説明】
１  孔明け装置、２  基台、２ａ  凹部、２ｂ  テーパ、３  操作台、３ａ  突出部、３ｂ  天井部、３ｃ  開口部、３ｄ  孔、４  回動軸、５  取っ手、５ａ  アーム、７  ゲージ、８  プレート、９  パイプロット刃、１０  ロットガード、１１  ごみ容器、１４  ロットホルダー、１４ａ  円形の孔、１４ｂ  連結用孔、１４ｃ  ねじ孔、１４ｄ  開口部、１４ｅ  縦溝、１８    容器、１８ａ  係止溝、１８ｂ  位置決め用の凹部、１９  蓋、１９ａ  凸部、１９ｂ  連絡口（耳部）、１９ｃ  溝部、２０  線状突起、２１  装飾板、２２  リンク、２３  Ｌ型金具、２４  取付ねじ
【図１】
0003968683.tif 000002
【図２】
0003968683.tif 000003
【図３】
0003968683.tif 000004
【図４】
0003968683.tif 000005
【図５】
0003968683.tif 000006
【図６】
0003968683.tif 000007
【図７】
0003968683.tif 000008
【図８】
0003968683.tif 000009
【図９】
0003968683.tif 000010
【図１０】
0003968683.tif 000011
【図１１】
0003968683.tif 000012
【図１２】
0003968683.tif 000013
【図１３】
0003968683.tif 000014
【図１４】
0003968683.tif 000015
【図１５】
0003968683.tif 000016